(57)【特許請求の範囲】
【請求項１】
回転推進装置及び薬剤瓶ケースを有し、該薬剤瓶ケースを介して薬剤瓶を回転推進装置の前端に装着させる注射ペンであって、
前記回転推進装置は、組立部材と、螺旋外管と、螺旋内管と、螺旋推進管と、螺合リングと、推進棒体と、逆回転防止リングと、注射操作部材を備え、
そのうち、組立部材は、前端を介して薬剤瓶ケースの後端に取り付けられ、その内部に内側板が形成され、該内側板の一側にワンウェイ環状歯部が形成され、該ワンウェイ環状歯部の内壁に一方向に傾く複数の歯が設けられ、更に、該内側板に非円形の案内穴が形成され、
前記螺旋外管は、組立部材の後端に取り付けられ、貫通穴前段及び、該貫通穴前段の後端に接する貫通穴後段を備え、該貫通穴後段の内壁に螺旋状溝が設けられ、該螺旋外管の前端に結合端部が設けられ、該螺旋外管の後段外周面に、軸方向へ延出しながら外周面の径方向に貫通穴後段と連通する長溝が形成され、該長溝が螺旋状溝の前端と後端とを連通して循環レールを構成し、該螺旋外管の後端に、後方へ延出する軸方向逆移動防止弾性片が設けられ、
前記螺旋内管は、管体と、該管体の前端に形成される前端部と、該管体と前端部との間に設けられる介在壁を備え、該管体の内部にガイド溝が形成され、該前端部の外周面に複数の逆転防止弾性片が設けられ、また、該螺旋内管は、螺旋外管の貫通穴前段に挿設され、該前端部が螺旋外管の前端から突出して組立部材の後管部に挿設され、該前端部の外周面にある逆転防止弾性片が、後管部にあるワンウェイ環状歯部の一方向に傾く歯に当接され、それにより、螺旋内管の回転を一方向に制限し、
前記螺旋推進管は、その内部を貫通する軸方向の中心穴を備え、前段の外周面にガイド凸部が設けられ、中段の外周面に案内突起が設けられ、後段の外周面に軸方向の溝部が形成されると共に、軸方向に沿って等間隔で配列する複数の逆行移動防止環状溝が形成され、該案内突起及び溝部は、螺旋推進管の径方向の相対する両側に位置し、該中心穴の壁に、一方向に傾く複数の歯を備える逆転防止環状歯部が設けられ、また、該螺旋推進管は、螺旋内管及び螺旋外管に挿設され、該ガイド凸部が螺旋内管のガイド溝に螺合され、該螺旋推進管の後段が螺旋内管の後端及び螺旋外管の後端を通って突出し、該案内突起が螺旋状溝と長溝からなる循環レールに移動して位置変換を行い、該螺旋推進管の案内突起が螺旋状溝に沿って推進したり、長溝に沿って直線後退したりし、該螺旋外管の後端の軸方向逆移動防止弾性片が螺旋推進管の溝部と逆行移動防止環状溝との間で位置変換を行い、
前記螺合リングは、螺旋内管の前端部に固定され、その内部にネジ穴が形成され、
前記推進棒体は、棒体を含み、該棒体の軸方向に非円形の棒穴が形成され、該棒体の断面が組立部材の非円形の案内穴に対応する形状を呈し、該棒体の前段に注射量制御段が形成され、該注射量制御段の外周面に推進ネジ山が形成され、該推進ネジ山の螺旋ピッチは、螺旋内管のガイド溝の螺旋ピッチよりも小さく、また、該推進棒体は、螺旋推進管に貫設され、該推進ネジ山を備える注射量制御段は、螺合リングのネジ穴に螺合され、該推進棒体が直線移動可能に組立部材の案内穴に貫設され、
前記逆回転防止リングは、環状部及び、該環状部の外周面に形成される複数の一方向に傾く逆回転防止弾性片を備え、また、該逆回転防止リングは、推進棒体の後方に位置すると共に、螺旋推進管の逆転防止環状歯部に組み合わされ、該逆回転防止弾性片がそれぞれ対応する逆転防止環状歯部の一方向に傾く歯に当接され、
前記注射操作部材は、押し棒及び蓋部材を備え、該押し棒は、軸方向に沿って直線移動可能に螺旋外管と該螺旋外管の内部にある螺旋推進管と推進棒体の棒穴に挿し込まれると共に、該螺旋推進管の内部にある逆回転防止リングが押し棒に環装固定され、該蓋部材は、螺旋外管の後端に位置するように押し棒の後端に取り付けられ、前記螺旋推進管の後端は、回転可能に蓋部材に取り付けられることを特徴とする注射ペン。
【請求項２】
前記螺旋内管における前端部の外径は管体の外径よりも小さく、該管体に管穴が形成され、該管穴の内壁にガイド溝が形成され、該前端部の外周面に複数の逆転防止弾性片が設けられ、該前端部に前管穴が形成され、前記介在壁に中管穴が形成され、該前管穴が介在壁の中管穴を介して管体の管穴と連通し、該前端部の前管穴の壁に、前方から後方へ延出するように複数の固定凹部が凹設され、
前記螺合リングの外周面に複数の固定突起が設けられ、該複数の固定突起がそれぞれ螺旋内管の前端部の固定凹部に対応するように位置決められることを特徴とする請求項１に記載の注射ペン。
【請求項３】
前記推進棒体の棒体の後端における棒穴の壁に複数の凹部が形成され、
前記逆回転防止リングにおける環状部の前端に複数のフックが設けられ、該複数のフックがそれぞれ推進棒体の棒穴の凹部に挿し込まれ、
前記螺旋推進管の後端に、後端へ延出すると共に前方に湾曲したフック部を設けられる掛止フックを備える連接端部が形成され、
前記押し棒の後端に、突出縁を備える取付端部が設けられ、
前記蓋部材は、蓋基部及び外蓋部を含み、該蓋基部に取付穴が形成され、該押し棒の後端の蓋基部と、螺旋推進管の後端の連接端部が蓋基部の取付穴に挿設され、該外蓋部が蓋基部の後端をカバーするように組み合わされることを特徴とする請求項１に記載の注射ペン。
【請求項４】
前記推進棒体における棒体の注射量制御段の前端に、複数の掛け穴が形成され、該掛け穴が棒体の外周面から径方向に向って棒穴と連通し、また、該棒体の前端に端部材が固定され、該端部材は、当接端部と、該当接端部の後端に形成される嵌合部と、該嵌合部に設けられる複数の掛け部を備え、該端部材は、嵌合部を介して棒体の前端に環装され、該掛け部は、棒体の棒穴の前段を通って掛け穴に係合されることにより、該端部材を組立部材の内側板の前方に位置させることを特徴とする請求項１に記載の注射ペン。
【請求項５】
前記螺旋内管における前端部の外径は管体の外径よりも小さく、該管体と前端部との間に介在壁が設けられ、該管体に管穴が形成され、該管穴の内壁にガイド溝が形成され、該前端部の外周面に複数の逆転防止弾性片が設けられ、該前端部に前管穴が形成され、該介在壁に中管穴が形成され、該前管穴が介在壁の中管穴を介して管体の管穴と連通し、該前管穴の壁に、前方から後方へ延出するように複数の固定凹部が凹設され、
前記螺合リングの外周面に複数の固定突起が設けられ、該複数の固定突起がそれぞれ螺旋内管の前端部の固定凹部に対応するように位置決められ、
前記推進棒体の棒体の後端における棒穴の壁に、複数の凹部が形成され、前記逆回転防止リングの環状部の前端に複数のフックが設けられ、該複数のフックがそれぞれ推進棒体の後端の棒穴の凹部に挿し込まれ、前記螺旋推進管の後端に、後端へ延出すると共に前方に湾曲するフック部が設けられた掛止フックを備える連接端部が形成され、前記注射操作部材の押し棒の後端に、突出縁を備える取付端部が設けられ、該蓋部材は、蓋基部及び外蓋部を含み、該蓋基部に取付穴が形成され、該押し棒の後端の蓋基部と、螺旋推進管後端の連接端部が蓋基部の取付穴に挿設され、該外蓋部が蓋基部の後端をカバーするように組み合わされ、
前記推進棒体の棒体の注射量制御段の前端に複数の掛け穴が形成され、該掛け穴は棒体の外周面から径方向に向って棒穴と連通し、また、該棒体の前端に端部材が固定され、該端部材は、当接端部と、該当接端部の後端に形成される嵌合部と、複数の嵌合部に設けられる掛け部を備え、該端部材が嵌合部を介して棒体の前端に環装され、該掛け部が棒体の棒穴前段を通って掛け穴に係合されることにより、該端部材を組立部材の内側板の前方に位置させることを特徴とする請求項１に記載の注射ペン。
【請求項６】
前記押し棒の本体の前段に複数の係合凹部が形成され、
前記螺旋内管の介在壁の後側面に小径環状部が後方に向かって凸設され、前記推進棒体の棒体の後段における、注射量制御段の近傍に、外周面から径方向に向って棒穴と連通する複数の貫通溝が形成され、該各貫通溝に弾性フックが設けられ、該弾性フックは、棒体の外周面に突出し、螺旋内管の小径環状部により押圧されて径方向に湾曲して棒穴に押込まれ、係合凹部に係合されることを特徴とする請求項１乃至５の何れか１項に記載の注射ペン。
【請求項７】
ペンケース及びペンキャップを含み、
そのうち、ペンケースは、軸方向に貫通する部材であり、組立部材の後端に取り付けるように螺旋外管の周囲に環装され、螺旋推進管の連接端部と、押し棒の後端の取付端部は、ペンケースの後端から突出して蓋部材に取り付けられ、
前記ペンキャップが着脱可能に薬剤瓶ケースに環装されることを特徴とする請求項１乃至５の何れか１に記載の注射ペン。
【請求項８】
前記組立部材は、前管部と、後管部と、間隔部と、環装部を備え、該前管部は間隔部の前側に設けられ、該後管部は間隔部の後側に設けられ、該後管部の外径は前管部の外径よりも小さく、該環装部は、後管部の周囲に環状に設けるように間隔部の後側に後方へ向って延設され、該前管部に複数の第一フックが設けられ、該環装部の外周面に複数の突起が設けられ、該突起の後端面が傾斜状を呈し、該間隔部の後側面における、環装部と後管部との間に複数の第二フックが設けられ、該環装部に後方から前方に向かって保持凹部が凹設され、
前記薬剤瓶ケースは、結合部を備え、該結合部に複数の係合穴が形成され、該結合部が組立部材の前管部の周囲に環装され、該係合穴が前管部の第一フックに対応するように係合され、
前記ペンケースの前端は、組立部材の環装部の周囲に環装され、該ペンケースの前端に複数の凹部が形成され、該環装部の外周面にある複数の突起がペンケースの凹部に対応するように組み合わされ、
前記螺旋外管の結合端部の側壁に、複数の結合穴及び２つの保持凸部が形成され、該螺旋外管が組立部材の後端における、後管部と環装部との間に組み合わされ、該組立部材の第二フックが螺旋外管の結合穴に係合されると共に、該２つの保持凸部がそれぞれ対応する保持凹部に嵌め込まれることを特徴とする請求項７に記載の注射ペン。
【請求項９】
前記押し棒の本体の前段に複数の係合凹部が形成され、
前記螺旋内管における介在壁の後側面に小径環状部が後方に向かって凸設され、
前記推進棒体の棒体の後段における注射量制御段の近傍に、外周面から径方向に向って棒穴と連通する複数の貫通溝が形成され、該各貫通溝に弾性フックが設けられ、該弾性フックは、棒体の外周面から突出し、螺旋内管の小径環状部により押圧されて径方向に向って湾曲して棒穴の内部に押込まれ、係合凹部に係合されることを特徴とする請求項８に記載の注射ペン。
【発明の詳細な説明】
【技術分野】
【０００１】
本発明は、特に注射量を安全範囲内に制御することにより省力化が可能な注射器に関するものである。
【背景技術】
【０００２】
既存の注射ペンは、使用上の安全性を考慮し、使用限度内での再利用が可能であるが、近年、注射量が設定可能な注射器や、注射回数の計算が可能な注射器が開発された。そのうち、注射量の設定が可能な注射器は、薬剤瓶を装着し押しボタンを押すと、注射筒の内部の駆動構造を介して薬剤瓶の内部のピストンが一定距離押されて、必要量の薬剤を注射針から送り出すことができる。
【０００３】
上述した、注射量が設定可能な注射器は、薬剤を必要量に調整することができるが、薬剤注入のための押しボタンを押す動作がしにくいという問題があった。この問題を解決するために、既存の、注射量が設定可能な注射器に、大きな螺旋ピッチ及び小さな螺旋ピッチからなる構造を備え、大きな螺旋ピッチがある構造の回転移動により生じた回転推進力を、小さな螺旋ピッチがある構造の回転移動により移転推進力に変換して薬剤を送り出すと共に、使用者が押しボタンを押した直線方向の力を回転力に変換できるため、省力化に優れた構造である。
【先行技術文献】
【特許文献】
【０００４】
【特許文献１】中国の実用新案公告第ＣＮ２０１６３１８１４Ｕ号
【特許文献２】国際公開ＷＯ２００５／０１８７２１  Ａ１号
【発明の概要】
【発明が解決しようとする課題】
【０００５】
しかしながら、上述した注射器は、一定の注射量に調整することができ、省力化の効果も有するが、その注射の過程において、誤動作で推進棒体を後方へ引かせることが可能であることから、安全性に優れないので、改良する必要があった。
【課題を解決するための手段】
【０００６】
本発明に係る注射ペンは、
回転推進装置及び薬剤瓶ケースを有し、該薬剤瓶ケースを介して薬剤瓶を回転推進装置の前端に装着させる注射ペンであって、
前記回転推進装置は、組立部材と、螺旋外管と、螺旋内管と、螺旋推進管と、螺合リングと、推進棒体と、逆回転防止リングと、注射操作部材を備え、
そのうち、組立部材は、前端を介して薬剤瓶ケースの後端に取り付けられ、その内部に内側板が形成され、該内側板の一側にワンウェイ環状歯部が形成され、該ワンウェイ環状歯部の内壁に一方向に傾く複数の歯が設けられ、更に、該内側板に非円形の案内穴が形成され、
前記螺旋外管は、組立部材の後端に取り付けられ、貫通穴前段及び、該貫通穴前段の後端に接する貫通穴後段を備え、該貫通穴後段の内壁に螺旋状溝が設けられ、該螺旋外管の前端に結合端部が設けられ、該螺旋外管の後段外周面に、軸方向へ延出しながら外周面の径方向に貫通穴後段と連通する長溝が形成され、該長溝が螺旋状溝の前端と後端とを連通して循環レールを構成し、該螺旋外管の後端に、後方へ延出する軸方向逆移動防止弾性片が設けられ、
前記螺旋内管は、管体と、該管体の前端に形成される前端部と、該管体と前端部との間に設けられる介在壁を備え、該管体の内部にガイド溝が形成され、該前端部の外周面に複数の逆転防止弾性片が設けられ、また、該螺旋内管は、螺旋外管の貫通穴前段に挿設され、該前端部が螺旋外管の前端から突出して組立部材の後管部に挿設され、該前端部の外周面にある逆転防止弾性片が、後管部にあるワンウェイ環状歯部の一方向に傾く歯に当接され、それにより、螺旋内管の回転を一方向に制限し、
前記螺旋推進管は、その内部を貫通する軸方向の中心穴を備え、前段の外周面にガイド凸部が設けられ、中段の外周面に案内突起が設けられ、後段の外周面に軸方向の溝部が形成されると共に、軸方向に沿って等間隔で配列する複数の逆行移動防止環状溝が形成され、該案内突起及び溝部は、螺旋推進管の径方向の相対する両側に位置し、該中心穴の壁に、一方向に傾く複数の歯を備える逆転防止環状歯部が設けられ、また、該螺旋推進管は、螺旋内管及び螺旋外管に挿設され、該ガイド凸部が螺旋内管のガイド溝に螺合され、該螺旋推進管の後段が螺旋内管の後端及び螺旋外管の後端を通って突出し、該案内突起が螺旋状溝と長溝からなる循環レールに移動して位置変換を行い、該螺旋推進管の案内突起が螺旋状溝に沿って推進したり、長溝に沿って直線後退したりし、該螺旋外管の後端の軸方向逆移動防止弾性片が螺旋推進管の溝部と逆行移動防止環状溝との間で位置変換を行い、
前記螺合リングは、螺旋内管の前端部に固定され、その内部にネジ穴が形成され、
前記推進棒体は、棒体を含み、該棒体の軸方向に非円形の棒穴が形成され、該棒体の断面が組立部材の非円形の案内穴に対応する形状を呈し、該棒体の前段に注射量制御段が形成され、該注射量制御段の外周面に推進ネジ山が形成され、該推進ネジ山の螺旋ピッチは、螺旋内管のガイド溝の螺旋ピッチよりも小さく、また、該推進棒体は、螺旋推進管に貫設され、該推進ネジ山を備える注射量制御段は、螺合リングのネジ穴に螺合され、該推進棒体が直線移動可能に組立部材の案内穴に貫設され、
前記逆回転防止リングは、環状部及び、該環状部の外周面に形成される複数の一方向に傾く逆回転防止弾性片を備え、また、該逆回転防止リングは、推進棒体の後方に位置すると共に、螺旋推進管の逆転防止環状歯部に組み合わされ、該逆回転防止弾性片がそれぞれ対応する逆転防止環状歯部の一方向に傾く歯に当接され、
前記注射操作部材は、押し棒及び蓋部材を備え、該押し棒は、軸方向に沿って直線移動可能に螺旋外管と該螺旋外管の内部にある螺旋推進管と推進棒体の棒穴に挿し込まれると共に、該螺旋推進管の内部にある逆回転防止リングが押し棒に環装固定され、該蓋部材は、螺旋外管の後端に位置するように押し棒の後端に取り付けられ、前記螺旋推進管の後端は、回転可能に蓋部材に取り付けられるものを提供する。
【０００７】
かかる注射ペンにおいて、
前記螺旋内管における前端部の外径は管体の外径よりも小さく、該管体に管穴が形成され、該管穴の内壁にガイド溝が形成され、該前端部の外周面に複数の逆転防止弾性片が設けられ、該前端部に前管穴が形成され、前記介在壁に中管穴が形成され、該前管穴が介在壁の中管穴を介して管体の管穴と連通し、該前端部の前管穴の壁に、前方から後方へ延出するように複数の固定凹部が凹設され、
前記螺合リングの外周面に複数の固定突起が設けられ、該複数の固定突起がそれぞれ螺旋内管の前端部の固定凹部に対応するように位置決められることが好ましい。
【０００８】
かかる注射ペンにおいて、
前記推進棒体の棒体の後端における棒穴の壁に複数の凹部が形成され、
前記逆回転防止リングにおける環状部の前端に複数のフックが設けられ、該複数のフックがそれぞれ推進棒体の棒穴の凹部に挿し込まれ、
前記螺旋推進管の後端に、後端へ延出すると共に前方に湾曲したフック部を設けられる掛止フックを備える連接端部が形成され、
前記押し棒の後端に、突出縁を備える取付端部が設けられ、
前記蓋部材は、蓋基部及び外蓋部を含み、該蓋基部に取付穴が形成され、該押し棒の後端の蓋基部と、螺旋推進管の後端の連接端部が蓋基部の取付穴に挿設され、該外蓋部が蓋基部の後端をカバーするように組み合わされることが好ましい。
【０００９】
かかる注射ペンにおいて、
前記推進棒体における棒体の注射量制御段の前端に、複数の掛け穴が形成され、該掛け穴が棒体の外周面から径方向に向って棒穴と連通し、また、該棒体の前端に端部材が固定され、該端部材は、当接端部と、該当接端部の後端に形成される嵌合部と、該嵌合部に設けられる複数の掛け部を備え、該端部材は、嵌合部を介して棒体の前端に環装され、該掛け部は、棒体の棒穴の前段を通って掛け穴に係合されることにより、該端部材を組立部材の内側板の前方に位置させることが好ましい。
【００１０】
かかる注射ペンにおいて、
前記螺旋内管における前端部の外径は管体の外径よりも小さく、該管体と前端部との間に介在壁が設けられ、該管体に管穴が形成され、該管穴の内壁にガイド溝が形成され、該前端部の外周面に複数の逆転防止弾性片が設けられ、該前端部に前管穴が形成され、該介在壁に中管穴が形成され、該前管穴が介在壁の中管穴を介して管体の管穴と連通し、該前管穴の壁に、前方から後方へ延出するように複数の固定凹部が凹設され、
前記螺合リングの外周面に複数の固定突起が設けられ、該複数の固定突起がそれぞれ螺旋内管の前端部の固定凹部に対応するように位置決められ、
前記推進棒体の棒体の後端における棒穴の壁に、複数の凹部が形成され、前記逆回転防止リングの環状部の前端に複数のフックが設けられ、該複数のフックがそれぞれ推進棒体の後端の棒穴の凹部に挿し込まれ、前記螺旋推進管の後端に、後端へ延出すると共に前方に湾曲するフック部が設けられた掛止フックを備える連接端部が形成され、前記注射操作部材の押し棒の後端に、突出縁を備える取付端部が設けられ、該蓋部材は、蓋基部及び外蓋部を含み、該蓋基部に取付穴が形成され、該押し棒の後端の蓋基部と、螺旋推進管後端の連接端部が蓋基部の取付穴に挿設され、該外蓋部が蓋基部の後端をカバーするように組み合わされ、
前記推進棒体の棒体の注射量制御段の前端に複数の掛け穴が形成され、該掛け穴は棒体の外周面から径方向に向って棒穴と連通し、また、該棒体の前端に端部材が固定され、該端部材は、当接端部と、該当接端部の後端に形成される嵌合部と、複数の嵌合部に設けられる掛け部を備え、該端部材が嵌合部を介して棒体の前端に環装され、該掛け部が棒体の棒穴前段を通って掛け穴に係合されることにより、該端部材を組立部材の内側板の前方に位置させることが好ましい。
【００１１】
かかる注射ペンにおいて、
前記押し棒の本体の前段に複数の係合凹部が形成され、
前記螺旋内管の介在壁の後側面に小径環状部が後方に向かって凸設され、前記推進棒体の棒体の後段における、注射量制御段の近傍に、外周面から径方向に向って棒穴と連通する複数の貫通溝が形成され、該各貫通溝に弾性フックが設けられ、該弾性フックは、棒体の外周面に突出し、螺旋内管の小径環状部により押圧されて径方向に湾曲して棒穴に押込まれ、係合凹部に係合されることが好ましい。
【００１２】
かかる注射ペンにおいて、
ペンケース及びペンキャップを含み、
そのうち、ペンケースは、軸方向に貫通する部材であり、組立部材の後端に取り付けるように螺旋外管の周囲に環装され、螺旋推進管の連接端部と、押し棒の後端の取付端部は、ペンケースの後端から突出して蓋部材に取り付けられ、
前記ペンキャップが着脱可能に薬剤瓶ケースに環装されることが好ましい。
【００１３】
かかる注射ペンにおいて、
前記組立部材は、前管部と、後管部と、間隔部と、環装部を備え、該前管部は間隔部の前側に設けられ、該後管部は間隔部の後側に設けられ、該後管部の外径は前管部の外径よりも小さく、該環装部は、後管部の周囲に環状に設けるように間隔部の後側に後方へ向って延設され、該前管部に複数の第一フックが設けられ、該環装部の外周面に複数の突起が設けられ、該突起の後端面が傾斜状を呈し、該間隔部の後側面における、環装部と後管部との間に複数の第二フックが設けられ、該環装部に後方から前方に向かって保持凹部が凹設され、
前記薬剤瓶ケースは、結合部を備え、該結合部に複数の係合穴が形成され、該結合部が組立部材の前管部の周囲に環装され、該係合穴が前管部の第一フックに対応するように係合され、
前記ペンケースの前端は、組立部材の環装部の周囲に環装され、該ペンケースの前端に複数の凹部が形成され、該環装部の外周面にある複数の突起がペンケースの凹部に対応するように組み合わされ、
前記螺旋外管の結合端部の側壁に、複数の結合穴及び２つの保持凸部が形成され、該螺旋外管が組立部材の後端における、後管部と環装部との間に組み合わされ、該組立部材の第二フックが螺旋外管の結合穴に係合されると共に、該２つの保持凸部がそれぞれ対応する保持凹部に嵌め込まれることが好ましい。
【００１４】
かかる注射ペンにおいて、
前記押し棒の本体の前段に複数の係合凹部が形成され、
前記螺旋内管における介在壁の後側面に小径環状部が後方に向かって凸設され、
前記推進棒体の棒体の後段における注射量制御段の近傍に、外周面から径方向に向って棒穴と連通する複数の貫通溝が形成され、該各貫通溝に弾性フックが設けられ、該弾性フックは、棒体の外周面から突出し、螺旋内管の小径環状部により押圧されて径方向に向って湾曲して棒穴の内部に押込まれ、係合凹部に係合されることが好ましい。
【発明の効果】
【００１５】
本発明に係る注射ペンは、螺旋内管のガイド溝が大きな螺旋ピッチを備えると共に、推進棒体の推進ネジ山が小さな螺旋ピッチを備えることから、使用者が注射操作部材を押圧した時の直線方向の力を回転力に変換すると共に、大きな螺旋ピッチの回転移動により生じた回転推進力を小さな螺旋ピッチの回転移動により移転推進力に変換して薬剤を送り出すので、省力化に優れる。
【００１６】
また、本発明に係る注射ペンは、押し棒にある逆回転防止リングの逆回転防止弾性片が螺旋推進管の逆転防止環状歯部に当接し、押し棒及び螺旋推進管の回転方向を制限することにより、推進棒体が組立部材の非円形の案内穴により制限されて回転できなくなり、螺旋外管の後端の軸方向逆移動防止弾性片が螺旋推進管の溝部に位置すると共に（図１０の如く）、案内突起が長溝に位置することにより、螺旋推進管が注射操作部材と共に前方へ直線的に推進し、螺旋推進管の外周面にあるガイド凸部が螺旋内管のガイド溝に螺合されることにより、螺旋内管を順方向に回転させる。
そして、その螺旋推進管を前方へ推進させると、螺旋外管の螺旋状溝と螺旋推進管との構造により後退することが不可能となり、螺旋推進管の外周面にあるガイド凸部が螺旋内管のガイド溝に所定の案内距離（すなわち、ガイド溝の一周回した距離）まで移動し、螺旋内管が螺旋推進管の推進により順方向に一周回ることから、螺旋内管の前端内部の螺合リングも一周回るので、螺合リングが推進棒体に連動して前方へ直線的に所定の予定距離移動し、該推進棒体の前端が薬剤瓶３のピストンを押圧して前方へ移動することから、所定の薬剤を人体へ注射することができる。このように、本発明に係る注射ペンは、所定の注射量に設定する機能を備えるので、使用上の安全性に優れている。
【００１７】
本発明に係る注射ペンは、薬剤瓶の薬剤を使い切るまで数回繰り返して使用することができる。、そして、薬剤瓶の薬剤を使い切った時、推進棒体の弾性フックは、螺旋内管の小径環状部に当接しながら径方向に湾曲して推進棒体の内部に伸び込まれると共に、押し棒の係合凹部に係合され、それにより、注射操作部材がロックされて後方へ引くことができなくなり、注射ペンの頻繁な使用を防げるので、注射ペンの使用上の安全性を向上させることができる。
【図面の簡単な説明】
【００１８】
【図１】本発明に係る注射ペンと、薬剤瓶と、注射針と、針キャップと、ペンキャップを示す分解斜視図である。
【図２】本発明に係る注射ペンにおける回転推進装置の分解斜視図である。
【図３】本発明に係る注射ペンにおける回転推進装置の他の分解斜視図である。
【図４】本発明に係る注射ペンに薬剤瓶を取り付けた状態を示す断面図である。
【図５】図４の部分拡大図である。
【図６】図４の他の部分拡大図である。
【図７】図４及び図５における７-７線断面図である。
【図８】図４及び図６における８-８線断面図である。
【図９】図２及び図３に示した回転推進装置における螺旋外管、螺旋推進管、注射操作部材の組み立て状態を示す部分斜視図である。
【図１０】図２及び図３に示した回転推進装置における螺旋外管、螺旋推進管、注射操作部材の組み立て状態を示す他の部分斜視図である。
【図１１】本発明に係る注射ペンに、薬剤瓶、注射針、針キャップを取り付けて注射操作部材を後方へ引いた状態を示す操作説明図である。
【図１２】本発明に係る注射ペンにおいて、注射操作部材を前方へ押圧した状態を示す第一操作説明図である。
【図１３】本発明に係る注射ペンにおいて、注射操作部材を前方へ押圧した状態を示す第二操作説明図である。
【図１４】、本発明に係る注射ペンにおいて、薬剤瓶の薬剤を使い切った状態を示す説明図である。
【図１５】本発明に係る注射ペンにおいて、薬剤瓶の薬剤を使い切って注射操作部材をロックした状態を示す第一説明図である。
【図１６】本発明に係る注射ペンにおいて、薬剤瓶の薬剤を使い切って注射操作部材をロックした状態を示す第二説明図である。
【発明を実施するための形態】
【００１９】
図１に示した分解斜視図は、本発明に係る注射ペンにおいて、薬剤瓶３と、注射針４と、針キャップ５を組み立てて使用する実施例の説明図であり、この注射ペンは、回転推進装置１及び薬剤瓶ケース２を備えると共に、ペンケース６及びペンキャップ７も含む。
【００２０】
図１乃至図３に示すように、前記回転推進装置１は、組立部材１０と、螺旋外管２０と、螺旋内管３０と、螺旋推進管４０と、螺合リング５０と、推進棒体６０と、逆回転防止リング７０と、注射操作部材８０を有する。
【００２１】
図２乃至図６に示すように、前記組立部材１０における、内部に内側板１１が形成され、該内側板１１の一側にワンウェイ環状歯部１２が形成され、該ワンウェイ環状歯部１２の内壁にラチェット構造中の一方向に傾く複数の歯が設けられ、該内側板１１に非円形の案内穴１１１が形成され、該案内穴１１１は、少なくとも１つの位置決め平面を備える多辺形穴や、径方向に相対する位置決め平面を備える穴、その他の非円形穴である。また、前記組立部材１０は、前管部１３と、後管部１４と、間隔部１５と、環装部１６を備え、そのうち前管部１３は間隔部１５の前側に設けられ、該後管部１４は間隔部１５の後側に設けられ、該後管部１４の外径は前管部１３の外径よりも小さく、該環装部１６は、後管部１４の周囲に環状に設けるように間隔部１５の後側に後方へ向って延設される。これにより、注射ペンを取り付ける時、前管部１３を薬剤瓶ケース２の後端に取り付け、更に、薬剤瓶３が前管部１３を通って後管部１４に嵌め込まれ、該後管部１４の内壁に内側板１１及びワンウェイ環状歯部１２が形成される。
【００２２】
本実施例において、前記組立部材１０の前管部１３に、薬剤瓶ケース２を掛止するための複数の第一フック１３１が設けられ、該組立部材１０の間隔部１５の後側面における、環装部１６と後管部１４との間に、複数の第二フック１４１が設けられ、該環装部１６の外周面に、複数の突起１６１が設けられ、該突起１６１の後端面が傾斜状を呈し、更に、該環装部１６に、後方から前方に向かって保持凹部１６２が凹設される。
【００２３】
図２乃至図６に示すように、前記螺旋外管２０は、組立部材１０の後端に取り付けられ、貫通穴前段２１及び、該貫通穴前段２１の後端に接する貫通穴後段２２を備え、該貫通穴前段２１と貫通穴後段２２との内部に、螺旋外管２０を貫通する貫通穴が形成され、該貫通穴前段２１の内径は貫通穴後段２２の内径よりも大きく、該貫通穴後段２２の内壁に螺旋状溝２３が設けられ、該螺旋状溝２３は、貫通穴後段２２の内周面を一周する螺旋状の案内パスを有し、該螺旋外管２０の前端に結合端部２４が設けられ、該螺旋外管２０の後段外周面に軸方向へ向って延出しながら、外周面の径方向に貫通穴後段２２と連通する長溝２５が形成され、該長溝２５が螺旋状溝２３の前端と後端とを連接して循環レールを構成し、更に、該螺旋外管２０の後端に、後方へ延出する軸方向逆移動防止弾性片２６が設けられ、この構成によれば、該軸方向逆移動防止弾性片２６の後端が自由端となるため、上下揺動可能な弾性が具備される。
【００２４】
本実施例においては、前記螺旋外管２０の結合端部２４の側壁に複数の結合穴２４１及び２つの保持凸部２４２を備え、該螺旋外観２０が組立部材１０の後端における、後管部１４と環装部１６との間に組み合わされ、該組立部材１０の第二フック１４１が螺旋外管２０の結合穴２４１に係合されると共に、該２つの保持凸部２４２がそれぞれ対応する保持凹部１６２に嵌め込まれる。
【００２５】
図２乃至図６に示すように、前記螺旋内管３０は、管体３１と、該管体３１の前端に形成される前端部３２と、該管体３１と前端部３２との間に設けられる介在壁３３を備え、そのうち前端部３２の外径は管体３１の外径よりも小さく、該管体３１に管穴３１１が形成され、該管穴３１１の内壁にガイド溝３４が形成され、該ガイド溝３４は、管体３１の内周面を一周する螺旋状の案内パスを有し、該前端部３２の外周面に複数の逆転防止弾性片３５が設けられ、該前端部３２に前管穴３２１が形成され、該前管穴３２１の壁に、複数の固定凹部３２２が前方から後方へ延出するように固定凹部３２２が凹設され、該介在壁３３に中管穴３３１が形成され、該前管穴３２１が介在壁３３の中管穴３３１を介して管体３１の管穴３１１と連通し、前記螺旋内管３０は、螺旋外管２０の貫通穴前段２１に貫設され、該前端部３２が螺旋外管２０の前端から突出するように後管部１４に挿設され、この構成によれば、該前端部３２の外周にある逆転防止弾性片３５が後管部１４のワンウェイ環状歯部１２の一方向に傾く歯止めに当接されるため、螺旋内管３０が一方向しか回転しなくなる。尚、本実施例においては、介在壁３３における後側面の中管穴３３１の周囲に、小径環状部３６が後方に向かって凸設される。
【００２６】
図２乃至図６に示すように、前記螺旋推進管４０に、その内部を貫通する軸方向の中心穴４１が形成され、該螺旋推進管４０の前段の外周面にガイド凸部４２が設けられ、中段の外周面に案内突起４３が設けられ、後段の外周面に軸方向の溝部４４が形成されると共に、該後段の外周面に、軸方向に沿って等間隔で配列すると共に溝部４４の周囲に位置する複数の逆行移動防止環状溝４５が形成され、該案内突起４３及び溝部４４は、螺旋推進管４０の径方向の相対する両側に位置し、該螺旋推進管４０の後段の中心穴４１の壁に、一方向に傾く歯を備える逆転防止環状歯部４６が設けられる。また、前記螺旋推進管４０は、螺旋内管３０及び螺旋外管２０に挿設され、該ガイド凸部４２がガイド溝３４に螺合され、該螺旋推進管４０の後段が螺旋内管３０の後端及び螺旋外管２０の後端を通って貫通穴後段２２から突出し、該案内突起４３は、螺旋状溝２３と長溝２５からなる循環レールに移動して位置変換を行うことができ、該螺旋推進管４０の案内突起４３は、螺旋状溝２３に沿って螺旋状に推進したり、長溝２５に沿って直線後退したりすることができ、該螺旋外管２０の後端の軸方向逆移動防止弾性片２６は、溝部４４と逆行移動防止環状溝４５との間で位置変換を行うことができる。尚、本実施例においては、該螺旋推進管４０の後端にさらに、後端へ延出すると共に前方へ湾曲するフック部が設けられる掛止フックを備える連接端部４７が形成される。
【００２７】
図２乃至図６に示すように、前記螺合リング５０は、螺旋内管３０の前端部３２の前管穴３２１に固定され、その内部にネジ穴５１が形成される。尚、本実施例においては、螺合リング５０の外周面に複数の固定突起５２が設けられ、該複数の固定突起５２がそれぞれ螺旋内管３０の前端部３２の固定凹部３２２に対応するように位置決められる。
【００２８】
図２乃至図６に示すように、前記推進棒体６０は、棒体６１を含み、該棒体６１の軸方向に非円形の棒穴６２が形成され、該棒体６１の断面が組立部材１０の非円形の案内穴１１１に対応する形状を呈し、該棒体６１の前段に注射量制御段６３が形成され、該注射量制御段６３の外周面に推進ネジ山６３１が形成され、該推進ネジ山６３１の螺旋ピッチは、螺旋内管３０のガイド溝３４の螺旋ピッチよりも小さく、該注射量制御段６３の断面が組立部材１０の非円形の案内穴１１１に対応する形状を呈し、該棒体６１における注射量制御段６３の後端近傍に凸縁６３２が径方向に凸設され、該棒体６１の後端に径方向に向かって凸縁６３２が設けられる。また、前記推進棒体６０は、螺旋推進管４０に貫設され、該推進棒体６０の凸縁６３２の後端が螺旋推進管４０の後端から突出し、推進ネジ山６３１を備える注射量制御段６３が組立部材１０の案内穴１１１に対応するように螺合リング５０のネジ穴５１に螺合される。この構成によれば、推進棒体６０が直線移動可能に組立部材１０の案内穴１１１に貫設される。
【００２９】
図２乃至図６に示すように、前記推進棒体６０は、前端を介して薬剤瓶３の内部のピストン３Ａを押圧してもよく、本実施例の推進棒体６０における棒体６１の前端に端部材６５を固定して、該端部材６５を介して薬剤瓶３の内部のピストン３Ａを押圧してもよい。また、前記端部材６５は、当接端部６５１と、該当接端部６５１の後端に形成される嵌合部６５２と、複数の嵌合部６５２に設けられる掛け部６５３を備え、該端部材６５は、嵌合部６５２を介して棒体６１の前端に環装され、該掛け部６５３が棒体６１の棒穴６２前段を通って掛け穴６１３に係合され、この構成によれば、該端部材６５を棒体６１の前端に固定できると共に、該端部材６５を組立部材１０の内側板１１の前方に位置させることができる。
【００３０】
本実施例において、前記推進棒体６０の棒体６１の後段における、注射量制御段６３の近傍に、外周面から径方向に向って棒穴６２と連通する複数の貫通溝６１１が形成され、該各貫通溝６１１に弾性フック６１２が設けられ、該弾性フック６１２は、棒体６１の外周面に突出し、螺旋内管３０の小径環状部３６により押圧されて径方向に湾曲して棒穴６２に押込まれ、更に、該棒体６１の後端における棒穴６２の壁に複数の凹部が形成され、該棒体６１の注射量制御段６３の前端に複数の掛け穴６１３が形成され、該掛け穴６１３が棒体６１の外周面から径方向に向って棒穴６２と連通する。
【００３１】
図２乃至図４と図６に示すように、前記逆回転防止リング７０は、環状部７１及び、該環状部７１の外周面に形成される複数の一方向に傾く逆回転防止弾性片７２を備え、該環状部７１に、推進棒体６０の非円形の棒穴６２に対応する内穴７１１が形成される。また、前記逆回転防止リング７０は、推進棒体６０の後方に位置すると共に、螺旋推進管４０の逆転防止環状歯部４６に組み合わされ、該各逆回転防止弾性片７２が対応する逆転防止環状歯部４６の一方向に傾く歯に当接される。尚、本実施例においては、環状部７１の前端に複数のフック７３が設けられ、該複数のフック７３がそれぞれ推進棒体６０の棒体６１の後端の棒穴６２の凹部に挿し込まれる。
【００３２】
図２乃至図６に示すように、前記注射操作部材８０は、押し棒８１及び蓋部材８２を備え、該押し棒８１は、推進棒体６０の棒穴６２の形状に対応する非円形の断面を有する長型部材であり、本体８１１及び、該本体８１１の後端に設けられる取付端部８１２を備え、該本体８１１の後段に複数の位置決め凹部８１３が形成され、該取付端部８１２に突出縁が径方向に向って延設され、該押し棒８１の本体８１１が軸方向に沿って直線移動可能に螺旋外管２０の後端、螺旋推進管４０の後端、逆回転防止リング７０の内穴７１１から推進棒体６０の棒穴６２に挿し込まれ、該逆回転防止リング７０は、フック７３を介して本体８１１の位置決め凹部８１３に対応するように係合され、逆回転防止リング７０は押し棒８１の本体８１１に環装固定される。該蓋部材８２は、螺旋外管２０の後端に位置するように押し棒８１の後端に取り付けられ、該押し棒８１の後端の取付端部８１２と、螺旋推進管４０後端の連接端部４７は、蓋部材８２に取り付けられ、これにより、螺旋推進管４０が蓋部材８２に対して回転可能となる。
【００３３】
本実施例においてさらに、前記押し棒８１の本体８１１の前段に複数の係合凹部８１４が形成され、該係合凹部８１４に推進棒体６０の弾性フック６１２が係合されて位置決められる。前記蓋部材８２は、蓋基部８２１及び外蓋部８２２を含み、該蓋基部８２１に取付穴が形成され、該押し棒８１の後端の蓋基部８２１と、螺旋推進管４０後端の連接端部４７は蓋基部８２１の取付穴に挿設され、該外蓋部８２２が蓋基部８２１の後端をカバーするように組み合わされる。
【００３４】
図１乃至図４に示すように、前記薬剤瓶ケース２に薬剤瓶３が装着されると共に、該薬剤瓶ケース２の前端に注射針４が装着され、該注射針４は、薬剤瓶ケース２の前端を通って薬剤瓶３まで伸び、該薬剤瓶ケース２の後端は組立部材１０の前端に組み合わされる。尚、本実施例においては、前記薬剤瓶ケース２の後端に結合部２Ａが形成され、該結合部２Ａに複数の係合穴２Ｂが形成され、該結合部２Ａが組立部材１０の前管部１３の周囲に環装され、該係合穴２Ｂが前管部１３の第一フック１３１に対応するように係合される。
【００３５】
図１乃至図３に示すように、前記ペンケース６は、軸方向に貫通する部材であり、組立部材１０の後端に取り付けるように螺旋外管２０の周囲に環装され、螺旋推進管４０の連接端部４７と、押し棒８１の後端の取付端部８１２は、ペンケース６の後端から突出して蓋部材８２に取り付けられる。尚、本実施例においては、前記ペンケース６の前端は、組立部材１０の環装部１６の周囲に環装され、該ペンケース６の前端に複数の凹部６Ａが形成され、該環装部１６の外周面にある複数の突起１６１がペンケース６の凹部６Ａに対応するように組み合わされる。また、図１及び図５に示すように、前記ペンキャップ７は、着脱可能に薬剤瓶ケース２に環装される。
【００３６】
図１、図４、図５に示すように、本発明に係る注射ペンに薬剤瓶３を取り付ける場合は、薬剤瓶ケース２を回転推進装置１に取り付ける前に、薬剤瓶３の後端を組立部材１０の前管部１３に挿し込むと共に、推進棒体６０の前端の端部材６５を薬剤瓶３の後端の内部に挿し込んでピストン３Ａに当接させ、その後、薬剤瓶ケース２を薬剤瓶３の周囲に環装させ、薬剤瓶ケース２の後端の結合部２Ａを組立部材１０の前端の前管部１３の周囲に環装させ、そして、該薬剤瓶ケース２の後端の結合部２Ａにある複数の係合穴２Ｂをそれぞれ組立部材１０の前管部１３の第一フック１３１に掛止し、該薬剤瓶ケース２の後端の結合部２Ａの周囲に固定リング２Ｃを設置し、該固定リング２Ｃにより、薬剤瓶ケース２と組立部材１０とを確実に組み合わさせる。尚、針頭を注射ペンに装着していない場合、ペンキャップ７が薬剤瓶ケース２をカバーするように環装されることが好ましい。
【００３７】
図４、図１１、図７、図８に示すように、薬剤瓶３が装着された注射ペンを使用する場合は、注射前の準備段階として、まず、ペンキャップ７を取り外してから注射針４を薬剤瓶ケース２の前端に取り付け、該注射針４を薬剤瓶ケース２の前端から薬剤瓶３に刺し込む。この時、針キャップ５は、注射針４をカバーするように注射針４の周囲に取り付けられることが好ましく、これにより、使用者が不注意で注射針４に刺されることを防止できる。
注射の準備段階においては、まず、回転推進装置１の注射操作部材８０を軸方向に沿って注射準備位置まで直線的に後方へ引き、この時、螺旋推進管４０も後方へ移動しながら螺旋外管２０と螺旋内管３０との内部にアイドリングを行い、また、押し棒８１の逆回転防止リング７０の逆回転防止弾性片７２を、螺旋推進管４０の逆転防止環状歯部４６に当接させると共に、螺旋内管３０の前端部３２の逆転防止弾性片３５を、組立部材１０のワンウェイ環状歯部１２の一方向に傾く歯に当接させることにより、押し棒８１及び螺旋推進管４０の回転方向を制限して、螺旋推進管４０を一方向しか回転できなくさせ、この時、図９に示すように、螺旋外管２０の後端の軸方向逆移動防止弾性片２６が螺旋推進管４０の逆行移動防止環状溝４５を押し付けながら移動することから、音が出し、また、螺旋推進管４０の逆行移動防止環状溝４５により螺旋外管２０の後端の軸方向逆移動防止弾性片２６を止めて軸方向逆移動防止弾性片２６に位置制限する。この方法によれば、誤動作により注射操作部材８０が押されて螺旋推進管４０が軸方向に沿って前方へ移動することを防ぐことができ、すなわち、注射操作部材８０を後方へ引くと、誤動作で前方へ移動することはない。また、その螺旋推進管４０が一周回った時、図１０に示すように、螺旋外管２０の軸方向逆移動防止弾性片２６が螺旋推進管４０の溝部４４に入るため、軸方向逆移動防止弾性片２６への制限が解消する。
【００３８】
図１１に示すように、注射する時は、針キャップ５を取り外して注射針４を人体の予定注射箇所に刺し込み、注射操作部材８０を押圧して注射する。この時、図１２及び図１３に示すように、その注射操作部材８０の蓋部材８２を前方へ押圧することにより、注射操作部材８０が直線的に前方へ移動すると同時に、螺旋推進管４０も前方へ移動し、押し棒８１にある逆回転防止リング７０の逆回転防止弾性片７２が螺旋推進管４０の逆転防止環状歯部４６に当接することにより、押し棒８１及び螺旋推進管４０の回転方向が制限されることから、推進棒体６０が組立部材１０の非円形の案内穴１１１により制限されて回転できなくなり、螺旋外管２０の後端の軸方向逆移動防止弾性片２６が螺旋推進管４０の溝部４４に位置すると共に（図１０の如く）、案内突起４３が長溝２５に位置するので、螺旋推進管４０と注射操作部材８０が前方へ直線推進し、また、螺旋推進管４０の外周面にあるガイド凸部４２が螺旋内管３０のガイド溝３４に螺合されるので、螺旋内管３０が順方向に回転する。
その螺旋推進管４０を前方へ推進させると、螺旋外管２０の螺旋状溝２３と螺旋推進管４０との構造により後退することが不可能となり、螺旋推進管４０の外周面にあるガイド凸部４２が螺旋内管３０のガイド溝３４に所定の案内距離（すなわち、ガイド溝３４の一周回した距離）まで移動し、螺旋内管３０が螺旋推進管４０の推進により順方向に一周回ることから、螺旋内管３０の前端内部の螺合リング５０も一周回る。故に、螺合リング５０が推進棒体６０に連動して前方へ直線的に所定の予定距離移動し、該推進棒体６０の前端が薬剤瓶３のピストン３Ａを押圧して前方へ移動することから、所定の薬剤を人体へ注射することができる。尚、本発明に係る注射ペンは、所定の注射量に設定する機能を備える。
更に、螺旋内管３０のガイド溝３４が大きい螺旋ピッチを備えると共に、推進棒体６０の推進ネジ山６３１が小さい螺旋ピッチを備えることから、使用者からの、注射操作部材８０を押圧する直線方向の力を回転力に変換すると共に、大きい螺旋ピッチの回転移動により生じた回転推進力を、小さい螺旋ピッチの回転移動により移転推進力に変換して薬剤を射出することができるため、省力化に優れる。
【００３９】
上述した操作を繰り返せば、本発明に係る注射ペンは、薬剤瓶３の薬剤を使い切るまで数回繰り返して使用することができる。その薬剤瓶３の薬剤を使い切ると、注射ペンを廃棄する。図１４乃至図１６に示すように、薬剤瓶３の薬剤を使い切った時、推進棒体６０の弾性フック６１２は、螺旋内管３０の小径環状部３６に当接しながら径方向に湾曲して推進棒体６０の棒穴６２の内部に伸び込まれると共に、押し棒８１の係合凹部８１４に係合され、それにより、注射操作部材８０がロックされて後方へ引くことができなくなり、注射ペンの頻繁な使用を防げるので、注射ペンの使用上の安全性を向上させることができる。
【符号の説明】
【００４０】
１      回転推進装置
２      薬剤瓶ケース
２Ａ    結合部
２Ｂ    係合穴
２Ｃ    固定リング
３      薬剤瓶
３Ａ    ピストン
４      注射針
５      針キャップ
６      ペンケース
６Ａ    凹部
７      ペンキャップ
１０    組立部材
１１    内側板
１１１  案内穴
１２    ワンウェイ環状歯部
１３    前管部
１３１  第一フック
１４    後管部
１４１  第二フック
１５    間隔部
１６    環装部
１６１  突起
１６２  保持凹部
２０    螺旋外管
２１    貫通穴前段
２２    貫通穴後段
２３    螺旋状溝
２４    結合端部
２４１  結合穴
２４２  保持凸部
２５    長溝
２６    軸方向逆移動防止弾性片
３０    螺旋内管
３１    管体
３１１  管穴
３２    前端部
３２１  前管穴
３２２  固定凹部
３３    介在壁
３３１  中管穴
３４    ガイド溝
３５    逆転防止弾性片
３６    小径環状部
４０    螺旋推進管
４１    中心穴
４２    ガイド凸部
４３    案内突起
４４    溝部
４５    逆行移動防止環状溝
４６    逆転防止環状歯部
４７    連接端部
５０    螺合リング
５１    ネジ穴
５２    固定突起
６０    推進棒体
６１    棒体
６１１  貫通溝
６１２  弾性フック
６１３  掛け穴
６２    棒穴
６３    注射量制御段
６３１  推進ネジ山
６３２  凸縁
６５    端部材
６５１  当接端部
６５２  嵌合部
６５３  掛け部
７０    逆回転防止リング
７１    環状部
７１１  内穴
７２    逆回転防止弾性片
７３    フック
８０    注射操作部材
８１    押し棒
８１１  本体
８１２  取付端部
８１３  位置決め凹部
８１４  係合凹部
８２    蓋部材
８２１  蓋基部
８２２  外蓋部
【図１】
0006353610.tif 000002
【図２】
0006353610.tif 000003
【図３】
0006353610.tif 000004
【図４】
0006353610.tif 000005
【図５】
0006353610.tif 000006
【図６】
0006353610.tif 000007
【図７】
0006353610.tif 000008
【図８】
0006353610.tif 000009
【図９】
0006353610.tif 000010
【図１０】
0006353610.tif 000011
【図１１】
0006353610.tif 000012
【図１２】
0006353610.tif 000013
【図１３】
0006353610.tif 000014
【図１４】
0006353610.tif 000015
【図１５】
0006353610.tif 000016
【図１６】
0006353610.tif 000017